(57)【要約】【課題】遊技玉を揚送しながら研摩する玉揚送研磨機に設けられた研摩布を遊技玉に臨ませる際、この研摩布を張った状態で固定する作業を容易にする玉研磨揚送機の研磨布保持機構を提供する。【解決手段】上下方向に駆動される無端ベルト７に沿って上昇する遊技玉Ｂに臨ませた長尺の研摩布１５の上部と下部とを保持する上部保持装置１６と下部保持装置１７とを備え、上部保持装置は上下動可能であって研摩布１５の張力を付与する方向に付勢され、該上部保持装置の筐体２２に設けられた案内手段（案内長孔３１）によって移動可能に軸支された摩擦ローラ１８は研摩布１５の引出し方向のみに回動するように規制されると共に、研摩布の上部を外方へ引き出す操作によって案内手段に従って移動した摩擦ローラの外周と筐体とで研摩布の上部を挟み込んだ状態で係止することにより、研摩布が上部保持装置と下部保持装置との間で張引された状態を保つようにした。【選択図】図４
2007260221.tif 000002
【特許請求の範囲】
【請求項１】
上下方向に駆動される無端ベルトに沿って上昇する遊技玉に臨ませた長尺の研摩布の上部と下部とを保持する上部保持装置と下部保持装置とを備え、前記上部保持装置は上下動可能であって研摩布の張力を付与する方向に付勢され、該上部保持装置の筐体に設けられた案内手段によって移動可能に軸支された摩擦ローラは研摩布の引出し方向のみに回動するように規制されると共に、前記研摩布の上部を外方へ引き出す操作によって前記案内手段に従って移動した前記摩擦ローラの外周と筐体とで前記研摩布の上部を挟み込んだ状態で係止することにより、前記研摩布が前記上部保持装置と前記下部保持装置との間で張引された状態を保つようにしたことを特徴とする玉研磨揚送機の研磨布保持機構。
【請求項２】
前記下部保持装置は、該装置の筐体の両側に設けられた傾斜状の案内長孔に従って移動する摩擦ローラの最下降位置で該摩擦ローラの外周に研摩布を挟み込んだ状態で係止する係止片が設けられると共に、前記摩擦ローラの回動方向は研摩布の引き出し方向のみに規制され、前記筐体の両側の案内長孔は前記摩擦ローラの最上昇位置を係止する段部を有していることを特徴とする請求項１記載の玉研磨揚送機の研磨布保持機構。
【発明の詳細な説明】
【技術分野】
【０００１】
本発明は、パチンコ玉等の遊技玉を揚送しながら研摩する玉揚送研磨機の研磨布保持機構に関する。
【背景技術】
【０００２】
パチンコ店等においては、パチンコ玉等の遊技玉を再使用するため、使用した遊技玉を揚送しながら研摩する玉揚送研磨機が設置されている。この玉揚送研磨機に設けられた研摩布によって遊技玉の汚れを効果的に払拭するには、研摩布に生じた弛みを矯正して張った状態に保持することが必要となる。このような研摩布の張引作業を行う従来技術として、特許文献１及び特許文献２を参照する。
【０００３】
特許文献１に記載されたものは、図７(ａ)に示すように、蓋５０の内側に無端ベルト５１の外面に臨ませた研磨布５２を張設し、蓋５０の下部には研磨布５２の一端をクランプする固定クランプ部材５３が設けられ、蓋５０の上部には研磨布５２の他端をクランプする上下移動可能な可動クランプ部材５４が設けられた構成を有する。この可動クランプ部材５４は、図７（ｂ）に示すように、蓋５０の平面部５５に取り付けられたスライド板５６に研磨布５２の端部を全幅に亘ってクランプするクランパー５７が設けられ、クランパー５７は下押え部材５８と下押え部材５８の一端に軸着されてなる上押え部材５９と止め金具６０とを有するものである。
【０００４】
このようなクランパー５７に研磨布５２をクランプするには、止め金具６０を解除し、上押え部材５９を開いた状態にして研磨布５２の端部を下押え部材５８に載せ、次に上押え部材５９を閉じ、上押え部材５９と下押え部材５８との間の噛み合せ部分に研磨布５２を噛み込まれた状態にして止め金具６０で固定する。
【０００５】
ところが、上記の構成において、研磨布５２を張った状態で固定するには、上記のように止め金具６０を解除して上押え部材５９を開き、一方の手でコイルスプリング６１の付勢力に抗して可動クランプ部材５４を上方に引きあげた状態を保ったまま、他方の手で研摩布５２を下方に引っ張り、この状態で上押え部材５９を閉じ、さらに止め金具６０で止める作業を行う必要があるため、これらの作業を一人の手で遂行することは極めて困難であった。
【０００６】
また、特許文献２は、図８に示すように、パチンコ玉揚送研磨機に取付可能な研磨布保持装置７０であって、支持基板７１の支持面側に開閉自在に設けられた開閉板７２の両側に軸支された摩擦ローラ７３と、摩擦ローラ７３の回転方向を規制する規制構造７４とを備えるものである。このような構成において、摩擦ローラ７３で研磨布７５を引っ張った状態に挟持するには、開閉板７２を開いた状態にして研摩布７５を通し、次いで開閉板７２を閉じ、さらに研摩布７５を引っ張りながら研摩布保持装置７０を引張バネ７６の付勢力に抗して上方に引き上げるという作業が必要となる。
【特許文献１】特開平１１−１６９５４９号公報
【特許文献２】特開２００４−１４１４５０号公報
【発明の開示】
【発明が解決しようとする課題】
【０００７】
本発明は、上記の事情に鑑みてなされたもので、遊技玉を揚送しながら研摩する玉揚送研磨機に設けられた研摩布を遊技玉に臨ませる際、この研摩布を張った状態で固定する作業を容易にするようにした玉研磨揚送機の研磨布保持機構を提供することを目的とする。
【課題を解決するための手段】
【０００８】
上記の問題を解決するために、本発明の請求項１に係る玉研磨揚送機の研磨布保持機構は、上下方向に駆動される無端ベルトに沿って上昇する遊技玉に臨ませた長尺の研摩布の上部と下部とを保持する上部保持装置と下部保持装置とを備え、前記上部保持装置は上下動可能であって研摩布の張力を付与する方向に付勢され、該上部保持装置の筐体に設けられた案内手段によって移動可能に軸支された摩擦ローラは研摩布の引出し方向のみに回動するように規制されると共に、前記研摩布の上部を外方へ引き出す操作によって前記案内手段に従って移動した前記摩擦ローラの外周と筐体とで前記研摩布の上部を挟み込んだ状態で係止することにより、前記研摩布が前記上部保持装置と前記下部保持装置との間で張引された状態を保つようにしたことを特徴とする。
【０００９】
また、本発明の請求項２に係る玉研磨揚送機の研磨布保持機構は、請求項１において、前記下部保持装置は、該装置の筐体の両側に設けられた傾斜状の案内長孔に従って移動する摩擦ローラの最下降位置で該摩擦ローラの外周に研摩布を挟み込んだ状態で係止する係止片が設けられると共に、前記摩擦ローラの回動方向は研摩布の引き出し方向のみに規制され、前記筐体の両側の案内長孔は前記摩擦ローラの最上昇位置を係止する段部を有していることを特徴とする。
【発明の効果】
【００１０】
本発明による玉研磨揚送機の研磨布保持機構によれば、遊技玉を揚送しながら研摩する玉揚送研磨機に設けられた研摩布を遊技玉に臨ませる際、上部保持装置側で研摩布の上部を引き上げるという容易な操作で、上部保持装置と下部保持装置との間の研摩布を張った状態で固定することが可能となる。
【発明を実施するための最良の形態】
【００１１】
以下、本発明の実施例について図面を参照しながら説明する。
【実施例１】
【００１２】
本実施例において、図１（ａ）、(ｂ)に示す玉研磨揚送機１は、固定ベース板２に上下方向に長尺な筺体３が垂直状に立設され、筺体３の下部に減速機付きモータ４に接続された駆動ローラ５が設けられると共に、筺体３の上部には従動ローラ６が設けられ、これらのローラ間に無端ベルト７を掛け渡し、さらに筐体３の正面開口を閉塞する上部蓋８と下部蓋９とが蝶番３ａによって横開き方向に開閉し、また止め金具３ｂによって閉じた状態を固定する構造とされている。このような構造によって、モータ４を駆動すると、筐体３の上下部蓋８、９側に張設された無端ベルト７が上方向に移動して、図２に示すように無端ベルト７に当接した遊技球Ｂ、Ｂ…が上方向に移動される。
【００１３】
即ち、駆動ローラ５と従動ローラ６との間には、図２に示すように、無端ベルト７に接触するバックアップローラ１１が多数設けられ、無端ベルト７が直線状態を維持しながら上昇する。また、上部蓋８と下部蓋９との内部構造は、ウレタン等による弾性部材１２によって玉送りガイド１３を支持した構成とされ、この玉送りガイド１３には無端ベルト７側に臨む断面半円形の溝１４が縦方向に複数条形成され、この複数条の溝１４、１４…に嵌合された遊技球Ｂ、Ｂ…が上昇する無端ベルト７に押圧状態に当接されたことによって上昇方向に揚送される。
【００１４】
このような構成において、研摩布１５は玉送りガイド１３の複数条の溝１４、１４…に面した状態で張設され、無端ベルト７で押圧された遊技玉Ｂが研摩布１５を介して夫々の溝１４に嵌合された構成により、各遊技玉Ｂは上昇方向へ転動しながら研摩布１５によって研摩され、汚れ等を払拭する。
【００１５】
本実施例は、上記の研摩布１５の位置換えのための移動及び張引状態での固定保持を行うようにした研磨布保持機構１０を構成するものである。即ち、本実施例の玉研磨揚送機１の研磨布保持機構１０は、図１(ａ)、(ｂ)又は図４(ａ)、(ｂ) に示すように、上下方向に駆動される無端ベルト７に沿って上昇する遊技玉Ｂに臨ませた長尺の研摩布１５の上部と下部とを保持する上部保持装置１６と下部保持装置１７とを備え、上部保持装置１６は上下動可能であって下方向に付勢され、夫々の上下部保持装置１６、１７の筐体２２、３６に設けられた案内手段（案内長孔３１）によって移動可能に軸支された摩擦ローラ１８は回動方向を一方向に規制され、研摩布１５の上部を外方へ引き出す操作によって移動した摩擦ローラ１８の外周に研摩布１５を挟み込んだ状態で係止する係止片（上部係止片１９ａ）が設けられたことにより、研摩布１５が上部保持装置１６と下部保持装置１７との間で張引された状態を保つようにしたものである。
【００１６】
このような構成について詳細に述べると、図１（ａ）、(ｂ)又は図６（ａ）〜(ｄ)に示すように、本実施例の上部保持装置１６と下部保持装置１７とは、下部蓋９の正面側の上下部に設けられ、長尺の研摩布１５が上記のように玉送りガイドの複数条の溝に面するように下部蓋９の裏側に沿って上下方向に設けられると共に、該研摩布１５の上部は下部蓋９の上端に沿って折り返された状態で上部保持装置１６の摩擦ローラ１８と背面板２３との間を通過した状態で固定される。また、この研摩布１５は下部蓋９の下端に沿って折り返された状態で下部保持装置１７の摩擦ローラ１８と背面板３７との間を通過し、さらに上部保持装置１６の係止ピン２１に係止された状態にされる。
【００１７】
上記の構成のうち、上部保持装置１６は、図４（ａ）に示すように筐体２２を有し、該筐体２２は上下が前方水平方向に折曲されて成る上下部の係止片１９ａ、１９ｂを有する背面板２３の両側に側板２４、２４が固設され、両側板２４、２４の下部には上記の係止ピン２１が回動自在に設けられている。また、夫々の側板２４、２４は下部蓋９の両側を挟持した状態で摺動自在に当接されると共に、背面板２３の両部に離間して縦方向に長孔２５、２５が形成され、夫々の長孔２５、２５に下部蓋９の前面に固設した係止ピン２６、２６を遊挿することによって、上部保持装置１６の筐体２２は長孔２５、２５の範囲内で上下方向に移動することができる。また、筐体２２の両側板２４、２４の前方上下部には補強部材２７、２７が固設されている。
【００１８】
さらに、背面板２３の下部係止片１９ｂの中央には係止穴２８が形成され、この係止穴２８にコイルバネ２９の上端が係止されると共に、コイルバネ２９の下端が下部蓋９の前面に固設された固定ピン３０に係止されることによって、図５（ａ）、(ｂ)に示すように、上部保持装置１６の筐体２２はコイルバネ２９によって常に下方向に付勢されている。
【００１９】
また、夫々の側板２４、２４の上部には背面板２３の方向へやや傾斜した案内長孔３１、３１（片方は図に見えていない）が形成され、各案内長孔３１に沿って摩擦ローラ１８の回転軸３２（図３(ｃ)参照）の両端に設けられた係止突起３３ａ、３３ｂが嵌合された状態で取り付けられている。
【００２０】
上記の摩擦ローラ１８について詳細に述べると、図３(ｂ)に示すように、摩擦ローラ１８の外周には波状の外周歯部１８ａが形成され、内部には貫通孔１８ｂが形成されると共に、その片側端部には円形凹部１８ｃが形成され、さらにこの円形凹部１８ｃの内周には波形状の内周歯部１８ｄが形成されている。また、図３(ｃ)に示すように、上記の摩擦ローラ１８の貫通孔１８ｂに遊嵌される外径を有する回転軸３２の両端には上記の筐体２２の両側板２４、２４の案内長孔３１、３１に嵌合されるやや長形の係止突起３３ａ、３３ｂが形成され、一方の係止突起３０ａは他方の係止突起３３ｂよりも長く突出され、長いほうの係止突起３３ａを有する側に、止めネジ３４によって回動自在に固定されたツメ３５が設けられ、このツメ３５が係止突起３３ａに対して外方へ付勢されるようにバネ部材３５ａが設けられている。
【００２１】
そして、図３(ａ)に示すように、上記のように構成された回転軸３２を摩擦ローラ１８の貫通孔１８ｂに挿通し、回転軸３２の片端のツメ３５を摩擦ローラ１８の波形状の内周歯部１８ｄに歯合すると、摩擦ローラ１８は回転軸３２に対して図３(ａ)の時計方向のみに間欠的に回転し、その逆方向にはツメ３５の係止によって回転が阻止されるラチェット構造となる。
【００２２】
一方、下部保持装置１７は、図４(ｂ)に示すように、下部蓋９の正面側に固定された筐体３６を有し、該筐体３６は上下が前方水平方向に折曲されてなる上下部の係止片２０ａ、２０ｂを有する背面板３７の両側に側板３８、３８が固設され、夫々の側板３８、３８の下部には背面板３７から遠ざかる方向へやや傾斜した案内長孔３９、３９が形成されている。この案内長孔３９の上部には摩擦ローラ１８の回転軸３２の係止突起３３ａを係止する段部３９ａが形成されている。
【００２３】
上記のように構成された上部保持装置１６と下部保持装置１７とを使用して研摩布１５を張設するには、図６(ａ)に示すように上部保持装置１６の回転軸３２の係止突起３３ａ、３３ｂ（係止突起３３ｂは図には見えていない）を側板２４、２４の案内長孔３１、３１に沿う下方に位置せしめ、この状態で上部係止片１９ａと摩擦ローラ１８との間に生じた隙間Ｃ１に下部蓋９の上端から折り返された研摩布１５の上部を通過させる。
【００２４】
一方、下部保持装置１７においては、図６(ｂ)に示すように、摩擦ローラ１８の回転軸３２の係止突起３３ａ、３３ｂ（係止突起３３ｂは図には見えていない）を側板３８、３８の案内長孔３９、３９の段部３９ａ、３９ａに係止させた状態にすると、摩擦ローラ１８と下部係止片２０ｂとの間に隙間Ｃ２が生じ、この隙間Ｃ２に下部蓋９の下端から折り返された研摩布１５の下部を挿通させる。
【００２５】
このような状態から研摩布１５を張設するには、図６(ｃ)に示すように、下部保持装置１７の案内長孔３９の段部３９ａから回転軸３２の係止突起３３ａを外した状態にすると、該係止突起３３ａは案内長孔３９に沿って下方へ落下し、摩擦ローラ１８の外周歯部１８ａが下部係止片２０ｂに歯合して、その間に研摩布１５を噛み込んだ状態にして研摩布１５が移動しない停止状態となる。また、研摩布１５を下方に引っ張ることによって、より強く保持することができる。
【００２６】
この状態で、図６(ａ)に示すように上部保持装置１６の摩擦ローラ１８の研摩布１５の端部を上方に向けて引き上げると、回転軸３２のラチェット構造によって摩擦ローラ１８は一方向（図示の時計周り）に回転し、研摩布１５は張引されつつ、回転軸３２の係止突起３３ａが案内長孔３１に沿って上方へ移動する。
【００２７】
そして、図６（c）に示すように、回転軸３２の係止突起３３ａが案内長孔３１の最上方に至った時点で摩擦ローラ１８の外周歯部１８ａが筐体２２の背面板２３に圧接すると共に上部係止片１９ａに歯合して、両者間で研摩布１５が挟み込まれた状態となる。この状態で研摩布１５の引き上げ動作を止めても、回転軸３２の端部のラチェット構造によって摩擦ローラ１８は逆方向への回転が阻止されているため、摩擦ローラ１８は案内長孔３１の最上方で停止したまま研摩布１５を張引状態に保つこととなる。このような状態において、上部保持装置１６の筐体２２がコイルバネ２９の付勢力に抗して上方へ引き上げられ、上部保持部材１６の筐体２２がコイルバネ２９の付勢力によって下方に付勢された状態になるため、研摩布１５を張引状態に保つことが可能になる。
【００２８】
また、研摩布１５に弛みが生じたり、汚れが生じた場合、再度、研磨布１５を移動し、また張引状態に保持するには、図６(ｂ)に示すように、下部保持装置１７における摩擦ローラ１８の係止突起３３ａを上方へ引き上げて案内長孔３９の段部３９ａに係止させておくと、研磨布１５が摩擦ローラ１８と下部係止片２０ｂとに噛み込まれた状態から解放され、上部保持装置１６側へ至る研磨布１５の張引状態に緩みが生じ、上部保持装置１６における回転軸３２の係止突起３３ａが案内長孔３９の下方に落下する。その後は、上記と同様の操作を行うことによって、再度、研磨布１５の張引作業を行うことができる。
【００２９】
上記の構成によれば、研摩布１５を張引するには、上部保持装置１６側で研摩布１５の上部を引き上げる動作だけで、上部保持装置１６と下部保持装置１７との間の研摩布１５を移動し、張引状態に保持することが可能となる。
【産業上の利用可能性】
【００３０】
本発明による玉研磨揚送機の研磨布保持機構は、遊技玉を揚送しながら研摩する玉揚送研磨機に設けられた研摩布を移動して汚れのない部位を遊技玉に臨ませる際、研摩布を引き上げるだけで移動させ、張引状態を保持することができる玉研磨揚送機の研磨布保持機構として利用可能である。
【図面の簡単な説明】
【００３１】
【図１】（ａ）は本発明に係る玉研磨揚送機の正面図であり、(ｂ)は側面図である。
【図２】本発明に係る玉研磨揚送機の横方向断面図である。
【図３】（ａ）は本発明に係る摩擦ローラ（回転軸を有する）の正面図であり、(ｂ)は回転軸を取り除いた摩擦ローラの正面図であり、(ｃ)は回転軸の正面図である。
【図４】（ａ）は本発明に係る研磨布保持機構の上部保持装置に関する斜視図であり、(ｂ)は下部保持装置に関する斜視図である。
【図５】（ａ）は本発明に係る研磨布保持機構の上部保持装置に関する正面図であり、 (ｂ)は上部保持装置を引き上げた状態を示す正面図である。
【図６】（ａ）は本発明に係る研磨布保持機構の上部保持装置に関する側面図であり、(ｂ)は下部保持装置に関する側面図であり、(ｃ)は上部保持装置において摩擦ローラが上昇した状態を示す側面図であり、(ｄ)は下部保持装置の摩擦ローラが下降した状態を示す側面図である。
【図７】（ａ）は特許文献１に係る遊技球揚送装置の全体斜視図、(ｂ)は要部の斜視図である。
【図８】特許文献２に係る研磨布保持装置の斜視図である。
【符号の説明】
【００３２】
１  玉研磨揚送機
２  固定ベース板
３  筺体
３ａ  蝶番
４  モータ
５  駆動ローラ
６  従動ローラ
７  無端ベルト
８  上部蓋
９  下部蓋
１０  研磨布保持機構
１１  バックアップローラ
１２  弾性部材
１３  玉送りガイド
１４  溝
１５  研摩布
１６  上部保持装置
１７  下部保持装置
１６ａ、１７ａ  筐体
１８  摩擦ローラ
１８ａ  波状の外周歯部
１８ｂ  貫通孔
１８ｃ  円形凹部
１８ｄ  歯部
１９ａ  上部係止片
１９ｂ  下部係止片
２０ａ  上部係止片
２０ｂ  下部係止片
２１  係止ピン
２２  筐体
２３  背面板
２４  側板
２５  長孔
２６  係止ピン
２７  補強部材
２８  係止穴
２９  コイルバネ
３０  固定ピン
３１  案内長孔
３２  回転軸
３３ａ、３３ｂ  係止突起
３３ａ、３３ｂ  長形の係止突起
３４  止めネジ
３５  ツメ
３５ａ  バネ部材
３６  筐体
３７  背面板
３８  側板
３９  案内長孔
３９ａ  段部
Ｂ  遊技球
Ｃ１  隙間
Ｃ２  隙間
【図１】
2007260221.tif 000003
【図２】
2007260221.tif 000004
【図３】
2007260221.tif 000005
【図４】
2007260221.tif 000006
【図５】
2007260221.tif 000007
【図６】
2007260221.tif 000008
【図７】
2007260221.tif 000009
【図８】
2007260221.tif 000010